(57)【要約】【課題】少なくとも２種類の照明ユニットと電力供給ユニットとを備える照明装置について、各照明ユニットと電力供給ユニットとの適切な接続を比較的簡便な構成で実現可能にする。【解決手段】消費電力が互いに異なる第１／第２照明ユニット、及び、それらの少なくとも一方に電力を供給するための電力供給ユニットを備える照明装置であって、前記電力供給ユニットは、前記第１〜第２照明ユニットそれぞれの第１〜第２入力端子部の何れにも対応する出力端子部、及び、前記出力端子部と基準電位との間に配された電流規制部を含み、前記電流規制部は、前記出力端子部に前記第１〜第２入力端子部の何れが接続された場合でも前記第１／第２照明ユニットが所定光量で照明するよう構成された。【選択図】図４
2019033361.tif 000002
【特許請求の範囲】
【請求項１】
第１光源部と、前記第１光源部用の電力を受ける第１入力端子部とを有する第１照明ユニットと、
第２光源部と、前記第２光源部用の電力を受ける第２入力端子部とを有する第２照明ユニットと、
前記第１照明ユニットおよび前記第２照明ユニットに電力を供給するための電力供給ユニットと、
を備える照明装置であって、
前記電力供給ユニットは、
前記第１入力端子部および前記第２入力端子部の何れにも接続可能な第１出力端子部と、
前記第１入力端子部および前記第２入力端子部の何れにも接続可能な第２出力端子部と、
前記第１出力端子部と第１基準電位との間に配された第１電流規制部と、
前記第２出力端子部と第２基準電位との間に配された第２電流規制部と、
を含み、
前記第１電流規制部は、前記第１出力端子部が前記第１入力端子部に接続された場合の前記第１光源部の合成インピーダンス値に対する前記第１電流規制部の合成インピーダンス値の比率である第１比率と、前記第１出力端子部が前記第２入力端子部に接続された場合の前記第２光源部の合成インピーダンス値に対する前記第１電流規制部の合成インピーダンス値の比率である第２比率と、が互いに等しくなるように構成され、
前記第２電流規制部は、前記第２出力端子部が前記第１入力端子部に接続された場合の前記第１光源部の合成インピーダンス値に対する前記第２電流規制部の合成インピーダンス値の比率である第３比率と、前記第２出力端子部が前記第２入力端子部に接続された場合の前記第２光源部の合成インピーダンス値に対する前記第２電流規制部の合成インピーダンス値の比率である第４比率と、が互いに等しくなるように構成された
ことを特徴とする照明装置。
【請求項２】
前記第１比率と前記第２比率とは、±１０％の差の範囲内で互いに等しく、
前記第３比率と前記第４比率とは、±１０％の差の範囲内で互いに等しい
ことを特徴とする請求項１記載の照明装置。
【請求項３】
前記第１出力端子部が前記第１入力端子部に接続された場合に前記第１光源部に加わる電圧と、
前記第１出力端子部が前記第２入力端子部に接続された場合に前記第２光源部に加わる電圧と、
前記第２出力端子部が前記第１入力端子部に接続された場合に前記第１光源部に加わる電圧と、
前記第２出力端子部が前記第２入力端子部に接続された場合に前記第２光源部に加わる電圧と、
は、±１０％の差の範囲内で互いに等しい
ことを特徴とする請求項２記載の照明装置。
【請求項４】
前記第１基準電位と前記第２基準電位とは同電位であり、
前記第１出力端子部と前記第２出力端子部とは同様の構成を有しており、
前記第１出力端子部は、第１端子および第２端子を含み、
前記第１電流規制部と前記第２電流規制部とは同様の構成を有しており、
前記第１電流規制部は、
前記第１端子と前記第１基準電位との間に配された第１抵抗素子と、
前記第２端子と前記第１基準電位との間に配された第２抵抗素子と、
を含む
ことを特徴とする請求項１から請求項３の何れか１項記載の照明装置。
【請求項５】
前記第１出力端子部が前記第１入力端子部に接続された場合、前記第１端子および前記第２端子の一方が前記第１光源部と電気的に接続され、
前記第１出力端子部が前記第２入力端子部に接続された場合、前記第１端子および前記第２端子の双方が前記第２光源部と電気的に接続される
ことを特徴とする請求項４記載の照明装置。
【請求項６】
前記第１光源部および前記第２光源部のそれぞれは、複数のＬＥＤ（Ｌｉｇｈｔ  Ｅｍｉｔｔｉｎｇ  Ｄｉｏｄｅ）が並列に接続されたＬＥＤアレイであり、
前記第２光源部が有するＬＥＤの数量は、前記第１光源部が有するＬＥＤの数量よりも多い
ことを特徴とする請求項５記載の照明装置。
【請求項７】
第１光源部および第１入力端子部を有する第１照明ユニットに電力を供給可能に且つ第２光源部および第２入力端子部を有する第２照明ユニットに電力を供給可能に構成された電力供給ユニットであって、
前記第１入力端子部および前記第２入力端子部の何れにも接続可能に構成された第１出力端子部と、
前記第１入力端子部および前記第２入力端子部の何れにも接続可能に構成された第２出力端子部と、
前記第１出力端子部と第１基準電位との間に配された第１電流規制部と、
前記第２出力端子部と第２基準電位との間に配された第２電流規制部と、を備え、
前記第１電流規制部は、前記第１出力端子部が前記第１入力端子部に接続された場合の前記第１光源部の合成インピーダンス値に対する前記第１電流規制部の合成インピーダンス値の比率である第１比率と、前記第１出力端子部が前記第２入力端子部に接続された場合の前記第２光源部の合成インピーダンス値に対する前記第１電流規制部の合成インピーダンス値の比率である第２比率と、が互いに等しくなるように構成され、
前記第２電流規制部は、前記第２出力端子部が前記第１入力端子部に接続された場合の前記第１光源部の合成インピーダンス値に対する前記第２電流規制部の合成インピーダンス値の比率である第３比率と、前記第２出力端子部が前記第２入力端子部に接続された場合の前記第２光源部の合成インピーダンス値に対する前記第２電流規制部の合成インピーダンス値の比率である第４比率と、が互いに等しくなるように構成された
ことを特徴とする電力供給ユニット。
【請求項８】
請求項７記載の電力供給ユニットと、
前記第１照明ユニットおよび前記第２照明ユニットの少なくとも一方と、を備える
ことを特徴とする照明装置。
【請求項９】
電力供給ユニットから電力を受けて発光する照明ユニットであって、
前記照明ユニットは、
前記電力供給ユニットからの電流の少なくとも一部を流す電流経路を提供する第３端子と、
前記第３端子に基準量を超える電流が流れないように前記電力供給ユニットからの電流の一部を流す他の電流経路を提供可能な第４端子と、
を備える
ことを特徴とする照明ユニット。
【発明の詳細な説明】
【技術分野】
【０００１】
本発明は、照明装置、電力供給ユニットおよび照明ユニットに関する。
【背景技術】
【０００２】
スキャナ（読取装置）は、例えば、原稿に対して光を照射する照明ユニットと、原稿からの反射光を検出するセンサユニットとを備え、これにより、原稿上の画像（文字、図形、写真等）を読み取ることができる。照明ユニットの構成として、特許文献１には、各ＬＥＤに流れる電流量を規制するための抵抗素子をＬＥＤチップ群に対して直列に接続させ、各ＬＥＤに所定の電圧を加える（言い換えると、各ＬＥＤに所定量の電流を流す）ことを可能にした構成が開示されている。特許文献１の構成によれば、各ＬＥＤを所定光量で発光させることができる。
【先行技術文献】
【特許文献】
【０００３】
【特許文献１】特開平５−２９９６９４号公報
【発明の概要】
【発明が解決しようとする課題】
【０００４】
ところで、照明ユニットは電力供給ユニットから電力を受けて光を発生するが、照明ユニットの小型化のため、電流量を規制するための上記抵抗素子を電力供給ユニット側に配置することが考えられる。その一方で、読取対象である原稿のサイズの多様化に対応するため、例えばサイズの異なる２種類（或いはそれ以上）の照明ユニットを連結させて単一の照明装置を作製することが考えられる。
【０００５】
特許文献１の構成を参照すると、各ＬＥＤに加わる電圧は、ＬＥＤチップ群の合成インピーダンスと、抵抗素子のインピーダンスとの比で定まる。そのため、抵抗素子を電力供給ユニット側に配置した上記構成において、この抵抗素子に対応しない他の照明ユニットが電力供給ユニットに接続された場合、各ＬＥＤには不測の電圧が加わることとなるため、構成上の改善の余地があった。
【０００６】
本発明は、少なくとも２種類の照明ユニットと電力供給ユニットとを備える照明装置について、各照明ユニットと電力供給ユニットとの適切な接続を比較的簡便な構成で実現可能にすることを目的とする。
【課題を解決するための手段】
【０００７】
本発明の一つの側面は照明装置にかかり、前記照明装置は、第１光源部と、前記第１光源部用の電力を受ける第１入力端子部とを有する第１照明ユニットと、第２光源部と、前記第２光源部用の電力を受ける第２入力端子部とを有する第２照明ユニットと、前記第１照明ユニットおよび前記第２照明ユニットに電力を供給するための電力供給ユニットと、を備える照明装置であって、前記電力供給ユニットは、前記第１入力端子部および前記第２入力端子部の何れにも接続可能な第１出力端子部と、前記第１入力端子部および前記第２入力端子部の何れにも接続可能な第２出力端子部と、前記第１出力端子部と第１基準電位との間に配された第１電流規制部と、前記第２出力端子部と第２基準電位との間に配された第２電流規制部と、を含み、前記第１電流規制部は、前記第１出力端子部が前記第１入力端子部に接続された場合の前記第１光源部の合成インピーダンス値に対する前記第１電流規制部の合成インピーダンス値の比率である第１比率と、前記第１出力端子部が前記第２入力端子部に接続された場合の前記第２光源部の合成インピーダンス値に対する前記第１電流規制部の合成インピーダンス値の比率である第２比率と、が互いに等しくなるように構成され、前記第２電流規制部は、前記第２出力端子部が前記第１入力端子部に接続された場合の前記第１光源部の合成インピーダンス値に対する前記第２電流規制部の合成インピーダンス値の比率である第３比率と、前記第２出力端子部が前記第２入力端子部に接続された場合の前記第２光源部の合成インピーダンス値に対する前記第２電流規制部の合成インピーダンス値の比率である第４比率と、が互いに等しくなるように構成されたことを特徴とする。
【発明の効果】
【０００８】
本発明によれば、各照明ユニットと電力供給ユニットとを適切に接続することができる。
【図面の簡単な説明】
【０００９】
【図１】スキャナの構造を説明するための斜視図である。
【図２】スキャナの内部構造を説明するための断面斜視図である。
【図３】照明ユニットの構成を説明するための上面図である。
【図４】照明ユニット及び電力供給ユニットの接続関係、並びに、電力供給ユニットの構成を説明するためのブロック図である。
【図５】照明ユニット及び電力供給ユニットの接続態様を説明するための図である。
【図６】照明ユニット及び電力供給ユニットの接続態様を説明するための図である。
【図７】照明ユニット及び電力供給ユニットの接続態様の変形例を説明するための図である。
【発明を実施するための形態】
【００１０】
以下、添付図面を参照しながら本発明の好適な実施形態について説明する。なお、各図は、構造ないし構成を説明する目的で記載されたものに過ぎず、図示された各部材の寸法は必ずしも現実のものを反映するものではない。また、各図において、同一の部材または同一の要素には同一の参照番号を付しており、以下、重複する内容については説明を省略する。
【００１１】
（第１実施形態）
図１は、第１実施形態に係るスキャナ（或いは「読取装置」等とも称されうる。）１の構造を説明するための斜視図である。スキャナ１は、一方向に延設され、読取面Ｓ１に対して走査された原稿の画像を、スキャナ１内に内蔵されたラインセンサにより読み取る。なお、スキャナの概念には、画像の読取を主機能として備えるものの他、これを補助的な機能として備えるもの（例えば、マルチファンクションプリンタ等）も含まれる。
【００１２】
構造の理解のため、図中には互いに直交するＸ軸、Ｙ軸及びＺ軸を示す（後述の図２〜３についても同様。）。Ｘ方向は、スキャナ１の延設方向に対応し、Ｙ方向は、スキャナ１の幅方向に対応し、Ｚ方向は、スキャナ１の高さ方向に対応する。
【００１３】
図２は、スキャナ１の内部構造を説明するための断面斜視図であり、図示された断面はＹ−Ｚ平面と並行な面である。本実施形態では、スキャナ１は、照明装置１１、ロッドレンズアレイ１２、及び、所定の電子部品がそれぞれ実装された実装基板１３〜１５を備え、これらは一対の筐体１０Ｌ及び１０Ｒの間において固定される。なお、筐体１０Ｌ及び１０Ｒは一体に構成されてもよい。
【００１４】
照明装置１１は、筐体１０Ｌ及び１０Ｒのそれぞれの上部に配され、基板１１１および光源部１１２を含む。光源部１１２は、本実施形態ではＬＥＤアレイであり、基板１１１上にＸ方向に沿って配列された複数のＬＥＤ（Ｌｉｇｈｔ  Ｅｍｉｔｔｉｎｇ  Ｄｉｏｄｅ）１１２１を含む。照明装置１１は、光源部１１２により読取面Ｓ１上の原稿に対して光を照射する。この原稿からの反射光は、ロッドレンズアレイ１２により集光され、下方に導かれる。
【００１５】
実装基板１３は、基板１３１およびラインセンサ１３２を含む。ラインセンサ１３２は、基板１３１上にＸ方向に沿って配列された複数のセンサを含む。複数のセンサは、例えばＣＭＯＳイメージセンサ等、それぞれが公知の光電変換素子を備える画素構成とすればよい。ラインセンサ１３２は、ロッドレンズアレイ１２により集光された光を検出し、その光量に応じた電気信号をセンサ信号として発生する。
【００１６】
図２では不図示とするが、実装基板１４〜１５には、実装基板１３からの上記センサ信号をＡＤ変換する処理ユニット、及び、該ＡＤ変換された信号を所定のデータ伝送方式で外部に出力する出力ユニットが設けられる。また、詳細については後述とするが、実装基板１４〜１５には、これら処理ユニットおよび出力ユニットの他、スキャナ１内の各要素に電力を供給可能な電力供給ユニットが設けられる。なお、本実施形態では、実装基板１４〜１５の２つの基板を示したが、これらの機能は単一の実装基板で実現されてもよい。
【００１７】
図３は、照明装置１１の構成を説明するための上面図（−Ｚ方向での平面図）である。なお、ここでは、筐体１０Ｌ側の照明装置１１に着目して説明するが、筐体１０Ｒ側についても同様である。
【００１８】
本実施形態では、照明装置１１は、それぞれＸ方向に延設された照明ユニット（第１照明ユニット）１１Ａ及び照明ユニット（第２照明ユニット）１１Ｂを含み、これらを組み合わせて成る。本実施形態では、照明ユニット１１Ａ及び１１Ｂは互いにＸ方向のサイズが異なっており、照明装置１１は、照明ユニット１１Ａ及び１１Ｂをそれらの端部を互いに近接ないし接続させて配置することで、形成される。
【００１９】
ここで、区別のため、照明ユニット１１Ａに対応する基板１１１を「基板１１１Ａ」とし、照明ユニット１１Ｂに対応する基板１１１を「基板１１１Ｂ」とする。また、照明ユニット１１Ａに対応する光源部１１２を「光源部（第１光源部）１１２Ａ」とし、照明ユニット１１Ｂに対応する光源部１１２を「光源部（第２光源部）１１２Ｂ」とする。即ち、照明ユニット１１Ａは、基板１１１Ａおよび光源部１１２Ａを含み、照明ユニット１１Ｂは、基板１１１Ｂおよび光源部１１２Ｂを含む。
【００２０】
照明ユニット１１Ａと、照明ユニット１１Ｂとは、サイズおよびＬＥＤ１１２１の素子数（以下、単に「ＬＥＤ素子数」と表現する。）が互いに異なることを除いて、同様の構成を有する。本実施形態では、基板１１１Ａのサイズよりも基板１１１Ｂのサイズの方が大きく、光源部１１２ＡのＬＥＤ素子数よりも、光源部１１２ＢのＬＥＤ素子数の方が多いものとする。なお、これらのＬＥＤ素子数は、図中に示された数量に限られない。
【００２１】
図４に例示されるように、照明装置１１は、照明ユニット１１Ａ及び１１Ｂに電力を供給可能な電力供給ユニット１６を更に含む。照明ユニット１１Ａには、電力供給ユニット１６から配線部ＷＡを介して電力が供給され、また、照明ユニット１１Ｂには、電力供給ユニット１６から配線部ＷＢを介して電力が供給される。なお、ここでいう電力の供給は、電気エネルギーを供給することを指し、電圧の供給およびそれに伴う電流の供給を含む。
【００２２】
配線部ＷＡは、一端側において接続部ＣＡ１を含むと共に他端側において接続部ＣＡ２を含む。接続部ＣＡ１は照明ユニット１１Ａに接続され、接続部ＣＡ２は電力供給ユニット１６に接続される。同様に、配線部ＷＢは、一端側において接続部ＣＢ１を含むと共に他端側において接続部ＣＢ２を含む。接続部ＣＢ１は照明ユニット１１Ｂに接続され、接続部ＣＢ２は電力供給ユニット１６に接続される。
【００２３】
電力供給ユニット１６は、電力発生部１６１、出力端子部（第１出力端子部）１６２Ｐ、出力端子部（第２出力端子部）１６２Ｑ、電流規制部（第１電流規制部）１６３Ｐ、及び、電流規制部（第２電流規制部）１６３Ｑを含む。電力発生部１６１は、照明ユニット１１Ａ及び１１Ｂを駆動するための電力、本実施形態では定電圧を発生する。出力端子部１６２Ｐ及び１６２Ｑのそれぞれは、この電力を出力するための端子部である。詳細については後述とするが、電流規制部１６３Ｐ及び１６３Ｑは、照明ユニット１１Ａ及び１１Ｂに所定の電圧（各ＬＥＤ１１２１を所望の光量で発光させることが可能な電圧）が加わるように、それらに供給される電流量を規制する。
【００２４】
図中において破線で示されるように、配線部ＷＡの接続部ＣＡ２は、出力端子部１６２Ｐ及び１６２Ｑの何れにも接続可能であり、また、配線部ＷＢの接続部ＣＢ２は、出力端子部１６２Ｐ及び１６２Ｑの何れにも接続可能である。スキャナ１の組み立ての際、作業者は、接続部ＣＡ２及びＣＢ２の区別をすることなく、それらを出力端子部１６２Ｐ及び１６２Ｑにそれぞれ接続することができる。
【００２５】
なお、本明細書では、電力供給ユニット１６を照明ユニット１１Ａ及び１１Ｂ用電力源として説明するが、電力供給ユニット１６の電力は他の要素（例えば実装基板１３〜１５上の各電子部品）にも供給されてもよい。
【００２６】
図５（Ａ）及び図５（Ｂ）は、照明ユニット１１Ａ及び１１Ｂの個々と電力供給ユニット１６との接続関係を詳細に説明するための回路図である。図５（Ａ）及び図５（Ｂ）は、それぞれ、配線部ＷＡを用いて照明ユニット１１Ａを電力供給ユニット１６に接続した態様、及び、配線部ＷＢを用いて照明ユニット１１Ｂを電力供給ユニット１６に接続した態様を示す。
【００２７】
図５（Ａ）に示されるように、照明ユニット１１Ａは入力端子部（第１入力端子部）１１３Ａを更に含み、入力端子部１１３Ａは配線部ＷＡ１の接続部ＣＡ１に接続される。具体的には、入力端子部１１３Ａは端子Ｔ１１〜Ｔ１３を含み、接続部ＣＡ１は端子Ｔ２１〜Ｔ２３を含む。入力端子部１１３Ａと接続部ＣＡ１とが接続されることで、端子Ｔ１１〜Ｔ１３と端子Ｔ２１〜Ｔ２３とはそれぞれ電気的に接触する。光源部１１２Ａにおいて、複数のＬＥＤ１１２１は端子Ｔ１１及びＴ１３間に並列に配され、各ＬＥＤ１１２１のアノードは端子Ｔ１１に接続され且つカソードは端子Ｔ１３に接続される。詳細については後述とするが、照明ユニット１１Ａにおいては、端子Ｔ１２はフローティング状態となっている。なお、入力端子部１１３Ａ及び接続部ＣＡ１は、互いに電気的に適切に接続可能に構成されればよく、何れが雄型コネクタ又は雌型コネクタであってもよい。
【００２８】
また、配線部ＷＡ１の接続部ＣＡ２は、それぞれ端子Ｔ２１〜Ｔ２３と短絡した端子Ｔ３１〜Ｔ３３を含む。出力端子部１６２Ｐは端子Ｔ４１〜Ｔ４３を含む。出力端子部１６２Ｐと接続部ＣＡ２とが接続されることで、端子Ｔ３１〜Ｔ３３と端子Ｔ４１〜Ｔ４３とはそれぞれ電気的に接触する。なお、出力端子部１６２Ｐ及び接続部ＣＡ２は、互いに電気的に適切に接続可能に構成されればよく、何れが雄型コネクタ又は雌型コネクタであってもよい。
【００２９】
本実施形態では、端子Ｔ４１は電位Ｖ１に固定される。電流規制部１６３Ｐは、出力端子部１６２Ｐと電位Ｖ２との間に配され、抵抗素子（第１抵抗素子）Ｒ１および抵抗素子（第２抵抗素子）Ｒ２を含む。抵抗素子Ｒ１は、端子（第１端子）Ｔ４３と電位Ｖ２との間に配される。抵抗素子Ｒ２は、端子（第２端子）Ｔ４２と電位Ｖ２との間に配される。抵抗素子Ｒ１及びＲ２には、金属や半導体等、電流が流れた場合に電圧降下を生じさせる公知の材料が用いられればよい。電位Ｖ１及びＶ２は照明ユニット１１Ａ及び１１Ｂを駆動可能に設定された所定の基準電位であり、本実施形態では、電位Ｖ１をＨｉ側の電位とし、電位Ｖ２をＬｏｗ側の電位（いわゆる接地電位）とする（Ｖ２＝０［Ｖ］）。
【００３０】
同様に図５（Ｂ）に示されるように、照明ユニット１１Ｂと電力供給ユニット１６との接続態様は、光源部１１２ＢのＬＥＤ素子数が光源部１１２Ａのものとは異なること、及び、端子Ｔ１２が端子Ｔ１３と短絡していることを除いて、図５（Ａ）同様の構成である。
【００３１】
即ち、照明ユニット１１Ｂは、入力端子部１１３Ａ同様の構成を有する入力端子部（第２入力端子部）１１３Ｂを更に含み、入力端子部１１３Ｂは配線部ＷＢ１の接続部ＣＢ１に接続される。また、光源部１１２ＢのＬＥＤ１１２１の数は、光源部１１２ＡのＬＥＤ１１２１の数より多い。ここでは説明の容易化のため、光源部１１２Ｂは、光源部１１２ＡのＬＥＤ１１２１の数の２倍の数のＬＥＤ１１２１を含むものとする。
【００３２】
また、入力端子部１１３Ａでは端子Ｔ１２は端子Ｔ１３から分離されているのに対して（図５（Ａ）参照）、入力端子部１１３Ｂでは端子Ｔ１２は端子Ｔ１３と短絡している。即ち、入力端子部１１３Ｂの端子Ｔ１２及びＴ１３は何れも複数のＬＥＤ１１２１のカソードに共通に接続される（図５（Ｂ）参照）。
【００３３】
また、入力端子部１１３Ｂは入力端子部１１３Ａ同様に構成される。配線部ＷＢは配線部ＷＡ同様に構成される。出力端子部１６２Ｑ及び１６３Ｑは、それぞれ、出力端子部１６２Ｐ及び１６３Ｐ同様に構成される。
【００３４】
以下、照明ユニット１１Ａ及び１１Ｂがそれぞれ上述のような構成で電力供給ユニット１６に接続された場合の電流成分について考える。
【００３５】
先ず、照明ユニット１１Ａについて（図５（Ａ）参照）、電位Ｖ１から端子Ｔ４１、Ｔ３１、Ｔ２１及びＴ１１を介して、光源部１１２ＡのＬＥＤ１１２１に電流が供給される。その後、この電流は、端子Ｔ１３、Ｔ２３、Ｔ３３及びＴ４３を介して抵抗素子Ｒ１を通り、電位Ｖ２へ排出される。図中において、この構成で流れる総電流量をＩＡで示す。
【００３６】
次に、照明ユニット１１Ｂについて（図５（Ｂ）参照）、電位Ｖ１から端子Ｔ４１、Ｔ３１、Ｔ２１及びＴ１１を介して、光源部１１２ＢのＬＥＤ１１２１に電流が供給される。そして、この電流は、そのうちの一部が、端子Ｔ１３、Ｔ２３、Ｔ３３及びＴ４３を介して抵抗素子Ｒ１を通り、且つ、他の部分が、端子Ｔ１２、Ｔ２２、Ｔ３２及びＴ４２を介して抵抗素子Ｒ２を通ることで、電位Ｖ２へ排出される。図中において、この構成で流れる総電流量をＩＢで示す。
【００３７】
本実施形態では、光源部１１２ＢのＬＥＤ素子数の方が光源部１１２Ａに比べて多いため、
ＩＢ＞ＩＡ      ・・・（式１）
である。本実施形態では、光源部１１２Ｂは、光源部１１２ＡのＬＥＤ１１２１の数の２倍の数のＬＥＤ１１２１を含むため、
ＩＢ＝２×ＩＡ      ・・・（式２）
である。
【００３８】
照明ユニット１１Ａについては（図５（Ａ）参照）、電流（ＩＡ）は、端子Ｔ１３から抵抗素子Ｒ１を通って電位Ｖ２へ排出されるため、ＬＥＤ１１２１のカソードの電位ＶＡは、
ＶＡ＝Ｒ１×ＩＡ      ・・・（式３）
と表せる。なお、理解の容易化のため、上記（式３）では、Ｒ１を、抵抗素子Ｒ１の抵抗値として示した（後述のＲ２も同様とする。）。
【００３９】
一方、照明ユニット１１Ｂについては（図５（Ｂ）参照）、電流（ＩＢ）は、端子Ｔ１３及びＴ１２からそれぞれ抵抗素子Ｒ１及びＲ２を通って電位Ｖ２へ排出され、ＬＥＤ１１２１のカソードの電位ＶＢは、
ＶＢ＝（Ｒ１／／Ｒ２）×ＩＢ      ・・・（式４ａ）
（Ｒ１／／Ｒ２）＝Ｒ１×Ｒ２／（Ｒ１＋Ｒ２）      ・・・（式４ｂ）
と表せる。なお、上記（Ｒ１／／Ｒ２）は、ＬＥＤ１１２１のカソード側から電位Ｖ２までの経路における抵抗素子Ｒ１及びＲ２の合成インピーダンスである。
【００４０】
ここで、
ＶＡ＝ＶＢ      ・・・（式５）
が成立した場合に、光源部１１２ＡのＬＥＤ１１２１にも、光源部１１２ＢのＬＥＤ１１２１にも、互いに等しい電圧（Ｖ１−ＶＡ（＝Ｖ１−ＶＢ））が加わることとなる。即ち、（式５）を満たす場合に、光源部１１２Ａ及び１１２Ｂの何れのＬＥＤ１１２１も等しい光量で発光することとなる。よって、本実施形態では、（式２）〜（式５）により、電流規制部１６３Ｐ及び１６３Ｑは、
Ｒ２＝Ｒ１      ・・・（式６）
を満たすように設ければよい。これにより、照明ユニット１１Ｂについては（図５（Ｂ）参照）、電流（ＩＢ）の一部（ＩＡ（＝ＩＢ／２））が端子Ｔ１３から抵抗素子Ｒ１を通って電位Ｖ２に排出され、他の部分（ＩＢ−ＩＡ（＝ＩＡ））が端子Ｔ１２から抵抗素子Ｒ２を通って電位Ｖ２に排出される。
【００４１】
このことは、次のように言い換えることも可能である。即ち、比較的小さい電流量ＩＡの照明ユニット１１Ａについては（図５（Ａ）参照）、端子Ｔ１２がフローティング状態であるため、全ての電流（ＩＡ）は端子Ｔ１３から抵抗素子Ｒ１を介して排出される。一方、比較的大きい電流量ＩＢの照明ユニット１１Ｂについては（図５（Ｂ）参照）、端子Ｔ１２が端子Ｔ１３と短絡することで、電流（ＩＢ）を端子Ｔ１３と端子Ｔ１２とに分岐させる。これにより、一部の電流（ＩＡ）は端子Ｔ１３から抵抗素子Ｒ１を介して排出され、他の一部の電流（ＩＢ−ＩＡ（＝ＩＡ））は端子Ｔ１２から抵抗素子Ｒ２を介して排出される。
【００４２】
照明ユニット１１Ａ及び１１Ｂ側の観点で更に言い換えると、端子Ｔ１２は、照明ユニット１１Ｂに対応する電流（ＩＢ）を流す場合に、照明ユニット１１Ａに対応する電流（ＩＡ）との差分（不足分）を流すための補助的な電流経路を提供可能である。本実施形態の例では、端子Ｔ１３は、照明ユニット１１Ａに対応する電流（ＩＡ）を流す端子（第３端子）として作用し、端子Ｔ１２は、照明ユニット１１Ｂに対応する電流（ＩＢ）を流す際に不足分（ＩＢ−ＩＡ）を流す端子（第４端子）として作用する。即ち、照明ユニット１１Ｂの場合、端子Ｔ１３は一部の電流（ＩＡ）を流す電流経路を提供し、端子Ｔ１２は他の一部の電流（ＩＢ−ＩＡ）を流す他の電流経路を提供する。これにより、照明ユニット１１Ｂの場合に、端子Ｔ１３に基準量を超える電流が流れないようにしている。
【００４３】
まとめると、本実施形態によれば、（式２）が成立するため、（式６）を満たすように抵抗素子Ｒ１及びＲ２を設定することで、（式５）を成立させる。これにより、照明ユニット１１Ａの光源部１１２Ａに加わる電圧（Ｖ１−ＶＡ）と、照明ユニット１１Ｂの光源部１１２Ｂに加わる電圧（Ｖ１−ＶＢ（＝Ｖ１−ＶＡ））とが互いに等しくなる。結果として、光源部１１２ＡのＬＥＤ１１２１も、光源部１１２ＢのＬＥＤ１１２１も、互いに等しい光量で発光する。
【００４４】
ここで、前述のとおり、配線部ＷＢは配線部ＷＡ同様に構成され、また、出力端子部１６２Ｑ及び１６３Ｑは、それぞれ、出力端子部１６２Ｐ及び１６３Ｐ同様に構成される。そのため、配線部ＷＡの接続部ＣＡ２を出力端子部１６２Ｑに接続し、配線部ＷＢの接続部ＣＢ２を出力端子部１６２Ｐに接続した場合でも、光源部１１２Ａ及び１１２ＢのＬＥＤ１１２１の発光光量は上述同様の結果となる。即ち、図４を参照しながら述べたように、配線部ＷＡの接続部ＣＡ２は、出力端子部１６２Ｐ及び１６２Ｑの何れにも接続可能であり、また、配線部ＷＢの接続部ＣＢ２は、出力端子部１６２Ｐ及び１６２Ｑの何れにも接続可能である。そして、接続部ＣＡ２及びＣＢ２と、出力端子部１６２Ｐ及び１６２Ｑと、を如何に組み合わせても、光源部１１２Ａ及び１１２Ｂに加わる電圧（Ｖ１−ＶＡ（＝Ｖ１−ＶＢ））に影響が実質的にない。よって、ここでいう何れにも接続可能とは、任意の一つについての電気接続を選択的に実現可能であることだけでなく、何れを接続した場合でも実質的に同一の電気的効果が発生することを示す。
【００４５】
以上のことは次のように説明することができる。即ち、出力端子部１６２Ｐが入力端子部１１３Ａに接続された場合の電流規制部１６３Ｐの合成インピーダンス値を「Ｚ１６３Ｐ＿Ａ」とし、光源部１１２Ａの合成インピーダンス値を「Ｚ１１２Ａ」とする。また、出力端子部１６２Ｐが入力端子部１１３Ｂに接続された場合の電流規制部１６３Ｐの合成インピーダンス値を「Ｚ１６３Ｐ＿Ｂ」とし、光源部１１２Ｂの合成インピーダンス値を「Ｚ１１２Ｂ」とする。また、Ｚ１１２Ａに対するＺ１６３Ｐの比率（第１比率）を「Ｋ１（＝Ｚ１６３Ｐ＿Ａ／Ｚ１１２Ａ）」とし、Ｚ１１２Ｂに対するＺ１６３Ｐの比率（第２比率）を「Ｋ２（＝Ｚ１６３Ｐ＿Ｂ／Ｚ１１２Ｂ）」とする。このとき、電流規制部１６３Ｐは、比率Ｋ１及びＫ２が互いに等しくなるように構成される。比率Ｋ１及びＫ２は±１０％の差の範囲内で互いに等しくなれば、出力端子部１６２Ｐが入力端子部１１３Ａ及び１１３Ｂの何れに接続された場合でも、光源部１１２Ａ及び１１２ＢのＬＥＤ１１２１の発光光量は実質的に等しくなる。
【００４６】
同様に、出力端子部１６２Ｑが入力端子部１１３Ａに接続された場合の電流規制部１６３Ｑの合成インピーダンス値を「Ｚ１６３Ｑ＿Ａ」とする。また、出力端子部１６２Ｑが入力端子部１１３Ｂに接続された場合の電流規制部１６３Ｑの合成インピーダンス値を「Ｚ１６３Ｑ＿Ｂ」とする。また、Ｚ１１２Ａに対するＺ１６３Ｑ＿Ｂの比率（第３比率）を「Ｋ３（＝Ｚ１６３Ｑ＿Ａ／Ｚ１１２Ａ）」とし、Ｚ１１２Ｂに対するＺ１６３Ｑ＿Ｂの比率（第４比率）を「Ｋ４（＝Ｚ１６３Ｑ＿Ｂ／Ｚ１１２Ｂ）」とする。このとき、電流規制部１６３Ｑは、比率Ｋ３及びＫ４が互いに等しくなるように構成される。比率Ｋ３及びＫ４は±１０％の差の範囲内で互いに等しくなれば、出力端子部１６２Ｑが入力端子部１１３Ａ及び１１３Ｂの何れに接続された場合でも、光源部１１２Ａ及び１１２ＢのＬＥＤ１１２１の発光光量は実質的に等しくなる。
【００４７】
なお、本実施形態の例では（図５（Ａ）及び図５（Ｂ）参照）、
Ｚ１６３Ｐ＿Ａ＝Ｚ１６３Ｑ＿Ａ＝Ｒ１      ・・・（式７）
であり、
Ｚ１６３Ｐ＿Ｂ＝Ｚ１６３Ｑ＿Ｂ＝（Ｒ１／／Ｒ２）      ・・・（式８）
である。また、
Ｚ１１２Ｂ＝Ｚ１１２Ａ×０．５      ・・・（式９）
である。
【００４８】
また、上記態様によれば、出力端子部１６２Ｐ及び１６２Ｑのそれぞれが入力端子部１１３Ａ及び１１３Ｂの何れに接続された場合でも、光源部１１２Ａ及び１１２Ｂに加わる電圧が±１０％の差の範囲内で互いに等しくなり、ＬＥＤ１１２１の発光光量が実質的に等しくなる。
【００４９】
抵抗素子Ｒ１及びＲ２の値は、光源部１１２Ａ及び１１２ＢのＬＥＤ素子数に基づいて調整されればよい。例えば、光源部１１２Ｂが光源部１１２ＡのＬＥＤ１１２１の数の３倍の数のＬＥＤ１１２１を含む場合、
ＩＢ＝３×ＩＡ      ・・・（式２’）
となり、（式２’）及び（式３）〜（式５）より、
Ｒ２＝Ｒ１×０．５      ・・・（式６’）
とすればよい。よって、組み合わせ対象となる照明ユニットの種類に応じて抵抗素子Ｒ１及びＲ２が設定されればよい。
【００５０】
本実施形態によれば、配線部ＷＡ及びＷＢを区別することなく、接続部ＣＡ２及びＣＢ２を出力端子部１６２Ｐ及び１６２Ｑに接続することが可能となる。同様に、配線部ＷＡ及びＷＢを区別することなく、接続部ＣＡ１及びＣＢ１を入力端子部１１３Ａ及び１１３Ｂに接続することも可能である。よって、本実施形態によれば、２種類の照明ユニット１１Ａ及び１１Ｂ並びに電力供給ユニット１６を備える照明装置１１について、照明ユニット１１Ａ及び１１Ｂの個々と電力供給ユニット１６との適切な接続を比較的簡便な構成で実現することができる。このことは、例えばスキャナ１を組み立てる際の作業効率の向上に有利である。
【００５１】
（第２実施形態）
前述の第１実施形態では説明の容易化のため、照明ユニットを２種類（１１Ａ及び１１Ｂ）としたが、第１実施形態の内容は、照明ユニットが３種類以上の場合にも適用可能である。以下では、第２実施形態として、図６（Ａ）〜図６（Ｃ）を参照しながら、照明ユニットが３種類の場合について述べる。
【００５２】
本実施形態では、照明ユニット１１Ａ及び１１Ｂに加えて、照明ユニット１１Ｃを更に用いる。照明ユニット１１Ｃは、図６（Ｃ）に示されるように、光源部１１２Ａ及び１１２Ｂ同様の機能を有する光源部１１２Ｃと、入力端子部１１３Ａ及び１１３Ｂ同様の機能を有する入力端子部１１３Ｃとを含む。ここでは説明の容易化のため、光源部１１２Ｃは、光源部１１２ＡのＬＥＤ１１２１の数の３倍の数のＬＥＤ１１２１を含むものとする。
【００５３】
また、本実施形態では、照明ユニット１１Ｃを電力供給ユニットに接続するのに、配線部ＷＣを用いる。配線部ＷＣは、接続部ＣＣ１及び接続部ＣＣ２を含む。
【００５４】
また、電力供給ユニット１６には、照明ユニット１１Ａ〜１１Ｃの何れも接続可能な出力端子部１６２Ｒが更に設けられる。
【００５５】
本実施形態では、入力端子部１１３Ａ、１１３Ｂ及び１１３Ｃのそれぞれには、端子Ｔ１１〜Ｔ１３の他、端子Ｔ１４が更に設けられる。接続部ＣＡ１、ＣＢ１及びＣＣ１のそれぞれには、端子Ｔ２１〜Ｔ２３の他、端子Ｔ１４に接続可能な端子Ｔ２４が更に設けられる。接続部ＣＡ２、ＣＢ２及びＣＣ２のそれぞれには、端子Ｔ３１〜Ｔ３３の他、端子Ｔ２４と短絡した端子Ｔ３４が更に設けられる。出力端子部１６２Ｐ、１６２Ｑ及び１６２Ｒのそれぞれには、端子Ｔ４１〜Ｔ４３の他、端子Ｔ３４に接続可能な端子Ｔ４４が更に設けられる。
【００５６】
また、電流規制部１６３Ｐ、１６３Ｑ及び１６３Ｒのそれぞれには、端子Ｔ４４と電位Ｖ２との間に抵抗素子Ｒ３が更に設けられる。
【００５７】
先ず、照明ユニット１１Ａについては、図６（Ａ）に示されるように、端子Ｔ１４は端子Ｔ１２と共にフローティング状態である。そのため、光源部１１２Ａに供給された電流は、端子Ｔ１３を介して抵抗素子Ｒ１を通って排出される。よって、第１実施形態の照明ユニット１１Ａ同様の効果が実現される。
【００５８】
次に、照明ユニット１１Ｂについては、図６（Ｂ）に示されるように、端子Ｔ１４はフローティング状態である。そのため、光源部１１２Ｂに供給された電流は、一部が端子Ｔ１３を介して抵抗素子Ｒ１を通って、他の一部が端子Ｔ１２を介して抵抗素子Ｒ２を通って、排出される。よって、第１実施形態の照明ユニット１１Ｂ同様の効果が実現される。
【００５９】
照明ユニット１１Ｃについては、図６（Ｃ）に示されるように、端子Ｔ１２〜Ｔ１４は複数のＬＥＤ１１２１のカソードに共通に接続される。本実施形態では、光源部１１２Ｃは、光源部１１２ＡのＬＥＤ１１２１の数の３倍の数のＬＥＤ１１２１を含む。そのため、抵抗素子Ｒ３を、
Ｒ３＝Ｒ１（＝Ｒ２）      ・・・（式１０）
と設定することで、抵抗素子Ｒ１、Ｒ２及びＲ３には、互いに等しい量の電流（ＩＡ）が流れることとなる。よって、結果として、光源部１１２Ａ〜１１２Ｃの何れのＬＥＤ１１２１の発光光量も互いに等しくなる。
【００６０】
以上、本実施形態によれば、照明ユニットを３種類（１１Ａ〜１１Ｃ）又はそれ以上とした場合でも、第１実施形態同様の効果が得られる。
【００６１】
（変形例）
図７（Ａ）〜図７（Ｄ）は、多様な変形例を説明するための模式図である。図７（Ａ）は、第１実施形態（図３〜５参照）の態様を示すため、ここでは説明を割愛する。
【００６２】
図７（Ｂ）は、電力供給ユニット１６を一体に構成するのではなく、照明ユニット１１Ａ用の電力供給ユニット１６’と、照明ユニット１１Ｂ用の電力供給ユニット１６”とを個別に容易した態様を示す。この例によれば、電力供給ユニット１６’及び１６”は基板１４及び／又は１５上に個別に配される。よって、配線部ＷＡ及びＷＢを、図７（Ａ）の例のように一カ所（電力供給ユニット１６）に集める必要がなく、個別に任意の姿勢で配置可能となり、内部構造の設計の自由度が向上する。
【００６３】
図７（Ｃ）は、照明ユニット１１Ａ及び１１Ｂを、電気的に互いに独立させたまま、一体に構成した態様を示す。例えば、照明ユニット１１Ａ及び１１Ｂを、それぞれ個別に作製した後、これらを、筐体１０Ｌ（又は１０Ｒ）に搭載する前に連結して一体の構成にすることが考えられる。この例によれば、該連結された照明ユニット１１Ａ及び１１Ｂの各端部が照明ユニット１１Ａ及び１１Ｂの何れの側かを考慮する必要なく、電力供給ユニット１６との接続を実現可能である。
【００６４】
図７（Ｄ）は、照明ユニット１１Ａ及び１１Ｂを、それらの端部で近接ないし接続するようにＸ方向に並べるのではなく、Ｙ方向に並設した態様を示す。図中では、照明ユニット１１Ａ及び１１Ｂを同一の構成として示すが、これらは互いに異なる構成でもよい。例えば、照明ユニット１１Ａ及び１１Ｂは、一方では複数のＬＥＤ１１２１が均一な間隔で配列され且つ他方では複数のＬＥＤ１１２１が両端部に配されるように構成されてもよい。一般に両端部の照射光量は中央部に比べて低下しうるが、この例によれば、中央部と両端部とで発光光量を等しくしてＸ方向での照射光量の均一性を向上させることができる。
【００６５】
その他、目的等に応じて、上述の各実施形態の例および変形例に対して、多様な変更を加えることが可能である。例えば、第１実施形態では、理解の容易化のため、抵抗素子Ｒ１及びＲ２は何れも同電位Ｖ２に対して固定されるものとしたが、これらは互いに異なる電位（例えば、第１基準電位Ｖ２’および第２基準電位Ｖ２”等）に固定されてもよい。或いは、抵抗素子Ｒ１及びＲ２は、電位Ｖ１及びＶ２間における電位Ｖ２側（電流排出側）ではなく、電位Ｖ１側（電流供給側）に設けられてもよい。
【００６６】
また、例えば、第１実施形態では、照明ユニット１１Ａ及び１１Ｂの個々と電力供給ユニット１６とを、配線部ＷＡ及びＷＢを介して間接的に接続する構成としたが、直接的に接続可能な構成としてもよい。或いは、配線部ＷＡは照明ユニット１１Ａと一体に構成され、及び／又は、配線部ＷＢは照明ユニット１１Ｂと一体に構成されてもよいし、配線部ＷＡ及びＷＢは電力供給ユニット１６と一体に構成されてもよい。
【００６７】
（その他）
本明細書に記載された個々の用語は、本発明を説明する目的で用いられたものに過ぎず、本発明は、その用語の厳密な意味に限定されるものでないことは言うまでもなく、その均等物をも含みうる。例えば、装置という文言に替わってアセンブリ、ユニット、モジュール、デバイス等と表現されてもよい。
【符号の説明】
【００６８】
１１（１１Ａ、１１Ｂ）：照明ユニット、１１２（１１２Ａ、１１２Ｂ）：光源部、１１３（１１３Ａ、１１３Ｂ）：入力端子部、１６：電力供給ユニット、１６２（１６２Ｐ、１６２Ｑ）：出力端子部、１６３（１６３Ｐ、１６３Ｑ）：電流規制部。
【図１】
2019033361.tif 000003
【図２】
2019033361.tif 000004
【図３】
2019033361.tif 000005
【図４】
2019033361.tif 000006
【図５】
2019033361.tif 000007
【図６】
2019033361.tif 000008
【図７】
2019033361.tif 000009